【手続補正書】
【提出日】平成28年8月10日(2016.8.10)
【手続補正１】
【補正対象書類名】明細書
【補正対象項目名】０００１
【補正方法】変更
【補正の内容】
【０００１】
本発明は、携帯端末の動作状態に応じて、当該携帯端末の特定の機能が動作中の場合は処理装置で実行可能な機能を制限することの可能な情報処理システム、その制御方法、及びプログラム、並びに画像処理装置、その制御方法、及びプログラムに関する。
【手続補正２】
【補正対象書類名】明細書
【補正対象項目名】００１０
【補正方法】変更
【補正の内容】
【００１０】
本発明は、携帯端末の動作状態に応じて、当該携帯端末の特定の機能が動作中の場合は処理装置で実行可能な機能を制限することの可能な仕組みを提供することを目的とする。
【手続補正３】
【補正対象書類名】明細書
【補正対象項目名】００１１
【補正方法】変更
【補正の内容】
【００１１】
本発明の情報処理システムは、ユーザからの操作に応じて更新される、携帯端末の特定の機能の動作状態を示す動作情報を処理装置に送信する動作状態送信手段を備える携帯端末と通信可能な処理装置であって、前記携帯端末の前記動作情報に応じて実行を制限する機能を記憶する記憶手段と、前記携帯端末から送信された前記動作情報を受信する動作状態受信手段と、前記動作状態受信手段で受信した前記動作情報により特定の機能が動作中であると判定した場合は、前記記憶手段に記憶された機能の実行を制限する機能実行制限手段とを備えることを特徴とする。
【手続補正４】
【補正対象書類名】明細書
【補正対象項目名】００１２
【補正方法】変更
【補正の内容】
【００１２】
本発明によれば、携帯端末の動作状態に応じて、当該携帯端末の特定の機能が動作中の場合は処理装置で実行可能な機能を制限することができる効果を奏する。
【手続補正５】
【補正対象書類名】特許請求の範囲
【補正対象項目名】全文
【補正方法】変更
【補正の内容】
【特許請求の範囲】
【請求項１】
ユーザからの操作に応じて更新される、携帯端末の特定の機能の動作状態を示す動作情報を処理装置に送信する動作状態送信手段を備える携帯端末と通信可能な処理装置であって、
前記携帯端末の前記動作情報に応じて実行を制限する機能を記憶する記憶手段と、
前記携帯端末から送信された前記動作情報を受信する動作状態受信手段と、
前記動作状態受信手段で受信した前記動作情報により特定の機能が動作中であると判定した場合は、前記記憶手段に記憶された機能の実行を制限する機能実行制限手段と
を備えることを特徴とする処理装置。
【請求項２】
前記処理装置は、
前記処理装置が備える機能の実行指示を受け付け可能な画面を表示する表示手段を更に備え、
前記機能実行制限手段は、前記表示手段で表示された画面において前記処理装置が備える機能の実行指示を受け付けた場合に、前記動作状態受信手段で受信した前記携帯端末の動作情報に応じて、前記記憶手段に記憶された機能の実行を制限することを特徴とする請求項１に記載の処理装置。
【請求項３】
前記表示手段は、前記機能実行制限手段で機能の実行を制限した後に、前記動作状態受信手段で受信した動作情報により前記携帯端末の特定の機能の動作が終了したと判定し、前記実行を制限した機能が実行可能となった場合には、実行する内容を前記ユーザに通知することを特徴とする請求項２に記載の処理装置。
【請求項４】
前記動作状態受信手段は、前記携帯端末で動作可能なアプリケーションの動作状態を含む前記携帯端末の動作情報を受信し、
前記記憶手段は、前記アプリケーションが動作中である場合に制限する機能を記憶し、
前記機能実行制限手段は、前記動作状態受信手段で受信した前記携帯端末の動作情報により、前記アプリケーションが動作中であると判定した場合は、前記記憶手段に記憶された機能の実行を制限することを特徴とする請求項１乃至３のいずれか１項に記載の処理装置。
【請求項５】
前記記憶手段は、前記携帯端末で動作可能なアプリケーションごとに制限する機能を記憶しており、
前記機能実行制限手段は、前記動作状態受信手段で受信した前記携帯端末で動作可能なアプリケーションの動作状態を含む前記携帯端末の動作情報から特定された、動作中のアプリケーションに対応する前記記憶手段に記憶された機能の実行を制限することを特徴とする請求項１乃至４のいずれか１項に記載の処理装置。
【請求項６】
前記記憶手段は、前記携帯端末が通話中に制限する機能を記憶し、
前記機能実行制限手段は、前記動作状態受信手段で受信した前記動作情報により、前記携帯端末の動作状態が通話中であると判定した場合に、前記記憶手段に記憶された機能の実行を制限することを特徴とする請求項１乃至５のいずれか１項に記載の処理装置。
【請求項７】
ユーザからの操作に応じて更新される携帯端末の特定の機能の動作情報を処理装置に送信する動作状態送信手段を備える携帯端末と通信可能であり、前記動作情報に応じて実行を制限する機能を記憶する記憶手段を備えた処理装置の制御方法であって、
前記処理装置の動作情報受信手段が、前記携帯端末から送信された当該携帯端末の特定の機能の動作情報を受信する動作状態受信ステップと、
前期処理装置の機能実行制限手段が、前記動作状態受信ステップで受信した前記動作情報により、特定の機能が動作中であると判定した場合は前記記憶手段に記憶された機能の実行を制限する機能実行制限ステップと
を備えることを特徴とする処理装置の制御方法。
【請求項８】
ユーザからの操作に応じて更新される携帯端末の特定の機能が動作中か否かを示す動作情報を処理装置に送信する動作状態送信手段を備える携帯端末と通信可能であり、前記動作状態に応じて実行を制限する機能を記憶する記憶手段を備えたプログラムであって、
前記処理装置を、
前記携帯端末から送信された前記動作情報を受信する動作状態受信手段と、
前記動作状態受信手段で受信した前記動作情報により特定の機能が動作中であると判定した場合は前記記憶手段に記憶された機能の実行を制限する機能実行制限手段
として機能させることを特徴とするプログラム。
【請求項９】
携帯端末と、処理装置とを含む情報処理システムであって、
前記携帯端末は、
ユーザからの操作に応じて更新される当該携帯端末の特定の機能の動作状態を示す動作情報を前記処理装置に送信する動作状態送信手段
を備え、
前記処理装置は、
前記携帯端末の前記動作情報に応じて実行を制限する機能を記憶する記憶手段と、
前記携帯端末から送信された前記動作情報を受信する動作状態受信手段と、
前記動作状態受信手段で受信した前記動作情報により特定の機能が動作中であると判定した場合は前記記憶手段に記憶された機能の実行を制限する機能実行制限手段と
を備えることを特徴とする情報処理システム。
【請求項１０】
前記動作状態送信手段は、前記処理装置に前記ユーザがログインしている間、前記携帯端末の動作状態を示す動作情報を前記処理装置に送信することを特徴とする請求項９に記載の情報処理システム。
【請求項１１】
前記動作状態送信手段は、前記携帯端末で動作可能なアプリケーションの動作状態を含む前記携帯端末の動作情報を送信することを特徴とする請求項９または１０のいずれか１項に記載の情報処理システム。
【請求項１２】
携帯端末と、前記携帯端末の動作状態に応じて実行を制限する機能を記憶する記憶手段を備える処理装置とを含む情報処理システムの制御方法であって、
前記携帯端末の動作状態送信手段が、ユーザからの操作に応じて更新される当該携帯端末の特定の機能の動作状態を示す動作情報を前記処理装置に送信する動作状態送信ステップと、
前記処理装置の動作状態受信手段が、前記携帯端末から送信された当該携帯端末の特定の機能の動作状態を示す動作情報を受信する動作状態受信ステップと、
前記処理装置の機能実行制限手段が、前記動作状態受信ステップで受信した前記動作情報により特定の機能が動作中であると判定した場合は前記記憶手段に記憶された機能の実行を制限する機能実行制限ステップと
を備えることを特徴とする情報処理システムの制御方法。
【請求項１３】
携帯端末と、前記携帯端末の動作状態に応じて実行を制限する機能を記憶する記憶手段を備える処理装置とを含む情報処理システムの制御方法を実行可能なプログラムであって、
前記携帯端末を、
ユーザからの操作に応じて更新される当該携帯端末の特定の機能の動作状態を示す動作情報を前記処理装置に送信する動作状態送信手段
として機能させ、
前記処理装置を、
前記携帯端末から送信された当該携帯端末の特定の機能の動作状態を示す動作情報を受信する動作状態受信手段と、
前記動作状態受信手段で受信した前記動作情報により特定の機能が動作中であると判定した場合は前記記憶手段に記憶された機能の実行を制限する機能実行制手段
として機能させることを特徴とするプログラム。